(57)【要約】      （修正有）【課題】電力量計器箱の蓋箱を取り外すことなく計量データを採録することのできる電力量計器の計量データ採録方法を提供する。【解決手段】電力量計器箱１１３の内部に、所定の長さの複数本の導線２、３により構成され、複数本の導線２、３の先端部に所定形状の裸圧着端子を取り付けると共に、複数本の導線２、３の基端部に短絡コネクタ５を取り付け、複数本の導線２、３の基端部側の適位置に柔軟性を有するゴムブッシング６を備えた電力量計器の計量データ採録用の接続コード１を設け、電力量計器の端子に裸圧着端子を接続した状態で電力量計器箱１１３を構成している箱体の孔にゴムブッシング６を箱体の内部側から嵌合させてあり、ゴムブッシングを箱体の外側に取り外すことにより短絡コネクタ５を箱体の外側に引き出すことができる。【選択図】図２
2012198166.tif 000002
【特許請求の範囲】
【請求項１】
内部に電力量計器を設置して、全体として閉鎖状態となっている箱体に所定の孔を設けて電力量計器箱を構成し、電力量計器の端子に接続した状態で、電力量計器箱の内部に配置する、電力量計器の計量データ採録用の接続コードであり、
所定の長さの複数本の導線により構成され、複数本の導線の先端部に、所定形状の裸圧着端子を取り付けると共に、複数本の導線の基端部に、短絡コネクタを取り付け、複数本の導線の基端部側の適位置に、柔軟性を有するゴムブッシングを備え、
電力量計器の端子に裸圧着端子を接続した状態で、電力量計器箱を構成している箱体の孔に、ゴムブッシングを箱体の内部側から嵌合させていることを特徴とする、電力量計器箱の内部に配置する、電力量計器の計量データ採録用の接続コード。
【請求項２】
電力量計器箱を構成している箱体の孔に嵌合しているゴムブッシングは、箱体の外側に向けて適宜取り外し可能であり、導線の基端部に取り付けている短絡コネクタを、箱体の外側に引き出すことができる、請求項１に記載の電力量計器箱の内部に配置する、電力量計器の計量データ採録用の接続コード。
【請求項３】
請求項１または２に記載された電力量計器箱の内部に配置する、電力量計器の計量データ採録用の接続コードを使用した、電力量計器の計量データ採録方法。
【請求項４】
請求項１または２に記載された電力量計器箱の内部に配置する、電力量計器の計量データ採録用の接続コードに、中間接続コードを接続し、この中間接続コードにパソコン（ＰＣ）側のコードを接続した、電力量計器の計量データ採録方法。
【請求項５】
請求項１または２に記載された電力量計器箱の内部に配置する、電力量計器の計量データ採録用の接続コードに、パソコン（ＰＣ）側のコードを接続した、電力量計器の計量データ採録方法。
【発明の詳細な説明】
【技術分野】
【０００１】
本発明は、例えば、ＰＰＳ需要家の自動検針実施までの暫定運用として行う、電力量計器の計量データの採録において、その作業手順の簡略化を実現して作業の安全を確保した、電力量計器箱の内部に配置する、電力量計器の計量データ採録用の接続コードと、この電力量計器の計量データ採録用の接続コードを使用した、電力量計器の計量データ採録方法に関するものである。
【背景技術】
【０００２】
従来における電力の供給は、地域毎に、国から許可を受けた電力会社のみが行っていた。
【０００３】
しかし、近年における制度改革により、電力の需要者は、新たに電気事業に参入した事業者（特定規模電気事業者）や、他の区域の電力会社から電力を購入することが可能となった。
【０００４】
そして、電力会社以外からは、特定規模電気事業者（ＰＰＳ）から電力を購入できることとなる。この特定規模電気事業者（ＰＰＳ）から電力を購入している者を、以下、ＰＰＳ需要者という。
【０００５】
ＰＰＳ需要者は、特定規模電気事業者（ＰＰＳ）の電力を、電力会社の送電線を介して購入することとなる。
【０００６】
その為、電力会社は、同時同量監視業務を行う必要がある。この同時同量監視業務は、特定規模電気事業者（ＰＰＳ）に対して、電力会社が特定規模電気事業者（ＰＰＳ）から受電する発電量を、電力会社がＰＰＳ需要者に供給する供給量に調整しているか否かを確認する業務である。
【０００７】
そして、特定規模電気事業者（ＰＰＳ）が、電力会社が特定規模電気事業者（ＰＰＳ）から受電する発電量を、電力会社がＰＰＳ需要者に供給する供給量に調整すること（同時同量）を実現するために、電力会社による同時同量支援が行われる。
【０００８】
この同時同量支援は、特定規模電気事業者（ＰＰＳ）が「同時同量」を実現するために、電力会社の自動検針システムを使用して、ＰＰＳ需要者における使用電力量（計器表示値）を、３０分毎に特定規模電気事業者（ＰＰＳ）に情報提供する業務である。
【０００９】
この様に、ＰＰＳ需要者の自動検針システムを実施することにより、同時同量支援を実現するのであるが、この自動検針システムを実施する以前においては、暫定的な措置として、ＰＰＳ需要者の計量データを個別に採録しているのが実情である。
【００１０】
このＰＰＳ需要者の計量データの個別の採録は、例えば、図１７に示すように、データ回収用プログラム（暗号化対応）をインストールしているパソコン（ＰＣ）を使用して行っている。具体的には、パソコン（ＰＣ）側のコード２００を、特定の電力量計器１０１の端子に接続して、この電力量計器１０１の計量データを採録するのである。
【００１１】
尚、特許文献１に示すように、所定のデータを読み取る為に、端子台に測定クリップを適宜取り付ける技術も存在している。
【００１２】
この技術は、接地端子部材に螺着される接地螺子の螺子頭と螺子部の間に、螺子頭の横断面寸法より小さい横断面寸法の部分を有する小軸部を設けることにより、螺子頭と小軸部の間に段差を形成するとともに、小軸部と螺子部の間に接地線押止部を設け、接地螺子を接地端子部材に螺着して、接地線を接地端子部材に接続した際に、前記小軸部が接地端子部材の上面に露出した構造として、データを読み取る為に、螺子頭に測定クリップを適宜取り付けたときに、この測定クリップが外れにくい端子台を構成したものである。
【先行技術文献】
【特許文献】
【００１３】
【特許文献１】特開２００７−２９４３１０号公報
【発明の概要】
【発明が解決しようとする課題】
【００１４】
しかしながら、上述したパソコン（ＰＣ）を使用した、電力量計器１０１の計量データの個別の採録は、作業員Ｓにとって非常に面倒であり、手間のかかる作業であるという弊害が生じていた。以下に、この弊害を詳述する。
【００１５】
電力量計器１０１の計量データの採録においては、作業員Ｓにより、対象となる電力量計器１０１の確認、封印の取り外し（蓋箱・端子カバーも含む）、設定用コードの取り付け、パソコン（ＰＣ）の電源投入、ファイルの準備（通信設定等）、データ回収用プログラムの操作、設定用コードの取り外し、電力量計器箱１１３の再封印という各作業を実施している。
【００１６】
このとき、作業員Ｓは、安全のために自身の手に絶縁手袋１００を装着している（図１４・図１５参照）。この絶縁手袋１００は、ゴム製で所定の厚みを有していることから、作業員Ｓの指の感覚は、通常よりも若干鈍った状態となっている。
【００１７】
そして、作業員Ｓは、まず、図１３・図１４に示すように、対象となる電力量計器１０１を確認して、その電力量計器１０１を設置している電力量計器箱１１３の蓋箱１０２を取り外すのであるが、この蓋箱１０２を取り外す作業が、非常に面倒であった。
【００１８】
即ち、電力量計器箱１１３の下部においては、図１６（ｂ）に示すように、電力量計器１０１を設置している固定箱１０３と、蓋箱１０２が、封印された状態で接合しており、電力量計器１０１を設置している固定箱１０３が、蓋箱１０２により閉鎖された状態となっている。
【００１９】
この固定箱１０３と蓋箱１０２の接合・封印は、図１６（ａ）（ｂ）に示すように、固定箱１０３側の固定ナット１０４に、蓋箱１０２側のボルト１０５をねじ込んでいる状態において、紐状のインシュロック部材１０６を、ボルト１０５の孔１０７、固定箱１０３側の板片１０８の孔１０９、蓋箱１０２側の板片１１０の孔１１１に貫挿させて結束したものである。
【００２０】
この様な固定箱１０３と蓋箱１０２の接合・封印を解除するには、作業員Ｓは、絶縁手袋１００を手に装着している状態で、所定のカッターを用いてインシュロック部材１０６を切断してから、所定のドライバーを用いてボルト１０５を回して、固定ナット１０４からボルト１０５を引き抜くという細かい作業を、連続的に実施しなければならない。
【００２１】
また、作業員Ｓは、絶縁手袋１００を手に装着している状態で、蓋箱１０２を取り外して電力量計器箱１１３を開放し、固定箱１０３に設置している電力量計器１０１を露出させた後に、図１５に示すように、所定のドライバーを用いて、電力量計器１０１に固定されている端子カバー１１２を取り外す作業も実施しなければならない。
【００２２】
次に、作業員Ｓは、図１７に示すように、電力量計器１０１のＤＴ端子・ＳＧ端子に、パソコン（ＰＣ）側のコード２００の端子を接続して、当該電力量計器１０１における計量データの採録を行っていた。
【００２３】
尚、電力量計器１０１の計量データの採録を終えたときは、パソコン（ＰＣ）側のコード２００の端子を外して、端子カバー１１２を取り付ける作業を再度実施しなければならない。
【００２４】
また、図１６（ａ）（ｂ）に示すように、固定箱１０３に蓋箱１０２を接合させ、固定箱１０３側の固定ナット１０４に蓋箱１０２側のボルト１０５をねじ込んでから、ボルト１０５の孔１０７、固定箱１０３側の板片１０８の孔１０９、蓋箱１０２側の板片１１０の孔１１１にインシュロック部材１０６を貫挿させて結束し、固定箱１０３と蓋箱１０２を再封印しなければならなかった。
【００２５】
この様に、作業員Ｓは、手に絶縁手袋１００を装着して、指の感覚が通常よりも若干鈍っている状態において、前記したような細かい作業を連続的に実施しなければならない為、作業時間が長くなると共に、作業員Ｓが疲労してしまう要因となっていた。
【００２６】
この様な作業の煩雑さは、パソコン（ＰＣ）側のコード２００の端子を、電力量計器１０１の固定箱１０３側のＤＴ端子・ＳＧ端子に接続する際に、閉鎖された状態となっている電力量計器箱１１３において、封印された状態で接合している固定箱１０３と蓋箱１０２に対し、その都度、封印を解いて蓋箱１０２を取り外さなければならないことに起因している。
【００２７】
さらに、作業員Ｓは、比較的に狭い場所において前記したような細かい作業を連続的に実施しなければならない為、電力量計器箱１１３の近傍に存在している高圧充電部・低圧充電部に、コード２００の端子等を接触させてしまう可能性もある。
【００２８】
この他、特許文献１に示すように、所定のデータを読み取る為に、端子台に測定クリップを適宜取り付ける技術を、電力量計器の計量データの採録に適用することも可能である。
【００２９】
しかし、測定クリップを所定の位置に取り付けるために、閉鎖された状態となっている電力量計器箱１１３において、封印された状態で接合している固定箱１０３と蓋箱１０２に対し、その都度、封印を解いて蓋箱１０２を取り外さなければならないことに変わりはない。
【００３０】
また、測定クリップが金属であることから、電力量計器箱１１３の近傍に存在している高圧充電部・低圧充電部に接触して、様々な事故が発生してしまう可能性もある。
【００３１】
そこで、本発明は、如上のような従来存した諸事情に鑑み創出されたもので、閉鎖された状態となっている電力量計器箱の内部に、電力量計器の計量データ採録用の接続コードを予め配置しておき、必要なときにこの接続コードを電力量計器箱の外側に引き出すことにより、封印された状態で接合している固定箱と蓋箱に対し、蓋箱を取り外すことなく、電力量計器の計量データを採録することのできる、電力量計器箱の内部に配置する、電力量計器の計量データ採録用の接続コードと、この電力量計器の計量データ採録用の接続コードを使用した、電力量計器の計量データ採録方法を提供することを目的とする。
【課題を解決するための手段】
【００３２】
本発明は、内部に電力量計器を設置して、全体として閉鎖状態となっている箱体に所定の孔を設けて電力量計器箱を構成し、電力量計器の端子に接続した状態で、電力量計器箱の内部に配置する、電力量計器の計量データ採録用の接続コードであり、
所定の長さの複数本の導線により構成され、複数本の導線の先端部に、所定形状の裸圧着端子を取り付けると共に、複数本の導線の基端部に、短絡コネクタを取り付け、複数本の導線の基端部側の適位置に、柔軟性を有するゴムブッシングを備え、
電力量計器の端子に裸圧着端子を接続した状態で、電力量計器箱を構成している箱体の孔に、ゴムブッシングを箱体の内部側から嵌合させていることで、上述した課題を解決した。
【００３３】
また、電力量計器箱を構成している箱体の孔に嵌合しているゴムブッシングは、箱体の外側に向けて適宜取り外し可能であり、導線の基端部に取り付けている短絡コネクタを、箱体の外側に引き出すことで、同じく上述した課題を解決した。
【００３４】
この他、本発明に係る電力量計器の計量データ採録方法は、前記した電力量計器箱の内部に配置する、電力量計器の計量データ採録用の接続コードを使用することで、同じく上述した課題を解決した。
【００３５】
また、電力量計器箱の内部に配置する、電力量計器の計量データ採録用の接続コードに、中間接続コードを接続し、この中間接続コードにパソコン（ＰＣ）側のコードを接続したことで、同じく上述した課題を解決した。
【００３６】
さらに、電力量計器箱の内部に配置する、電力量計器の計量データ採録用の接続コードに、パソコン（ＰＣ）側のコードを接続したことで、同じく上述した課題を解決した。
【発明の効果】
【００３７】
本発明は、内部に電力量計器を設置して、全体として閉鎖状態となっている箱体に所定の孔を設けて電力量計器箱を構成し、電力量計器の端子に接続した状態で、電力量計器箱の内部に配置する、電力量計器の計量データ採録用の接続コードであり、
所定の長さの複数本の導線により構成され、複数本の導線の先端部に、所定形状の裸圧着端子を取り付けると共に、複数本の導線の基端部に、短絡コネクタを取り付け、複数本の導線の基端部側の適位置に、柔軟性を有するゴムブッシングを備え、
電力量計器の端子に裸圧着端子を接続した状態で、電力量計器箱を構成している箱体の孔に、ゴムブッシングを箱体の内部側から嵌合させていることから、通常は、電力量計器を内部に設置している電力量計器箱の閉鎖した状態を維持している。
【００３８】
そして、電力量計器箱を構成している箱体の孔に嵌合しているゴムブッシングは、箱体の外側に向けて適宜取り外し可能であり、導線の基端部に取り付けている短絡コネクタを、箱体の外側に引き出すことができることから、この引き出した短絡コネクタを介して、当該電力量計器の計量データを適宜採録することができる。
【００３９】
このとき、電力量計器箱の閉鎖した状態を維持したまま、電力量計器の計量データを採録できることから、従来の採録作業で実施していた、電力量計器箱を構成している固定箱と蓋箱の接合・封印を解除する作業（作業員が絶縁手袋を手に装着している状態で行う、カッターを用いてインシュロック部材を切断してから、所定のドライバーを用いてボルトを回して、固定ナットからボルトを引き抜く細かい作業）を省くことができる。
【００４０】
また、データの採録後に、固定箱に蓋箱を再封印する作業（作業員が絶縁手袋を手に装着している状態で行う、固定箱に蓋箱を接合させ、固定箱側の固定ナットに蓋箱側のボルトをねじ込んでから、ボルトの孔、固定箱側の板片の孔、蓋箱側の板片の孔にインシュロック部材を貫挿させて結束する細かい作業）も省くことができる。
【００４１】
その結果、閉鎖状態となっている電力量計器箱の内部に設置している電力量計器の計量データを採録する作業時間を大幅に短縮できると共に、作業員の労力も軽減することができる。
【００４２】
さらに、電力量計器箱の近傍に存在している高圧充電部・低圧充電部に、コードの端子等を接触させてしまう事態の発生も阻止して、作業の安全を確保している。
【００４３】
この他、本発明に係る電力量計器の計量データ採録方法においては、電力量計器箱の内部に配置する、電力量計器の計量データ採録用の接続コードを使用することにより、電力量計器箱の閉鎖した状態を維持したまま、電力量計器の計量データを簡単・迅速に採録できる。
【００４４】
また、電力量計器箱の内部に配置する、電力量計器の計量データ採録用の接続コードに、中間接続コードを接続し、この中間接続コードにパソコン（ＰＣ）側のコードを接続したときには、このパソコン（ＰＣ）により、電力量計器の計量データを確実に採録できる。
【００４５】
さらに、電力量計器箱の内部に配置する、電力量計器の計量データ採録用の接続コードに、パソコン（ＰＣ）側のコードを接続したときには、中間接続コードを省いた状態で、このパソコン（ＰＣ）により、電力量計器の計量データを確実に採録できる。
【図面の簡単な説明】
【００４６】
【図１】電力量計器箱の内部に配置する、電力量計器の計量データ採録用の接続コードの構成を示す斜視図である。
【図２】電力量計器箱を開放し、電力量計器を設置している固定箱に、電力量計器の計量データ採録用の接続コードを取り付けた状態を示す斜視図である。
【図３】電力量計器の計量データ採録用の接続コードを取り付けた固定箱に、蓋箱を接合する状態を示す分解斜視図である。
【図４】閉鎖状態となっている電力量計器箱からの、電力量計器の計量データ採録用の接続コードの引き出し状態を示すもので、（ａ）はゴムブッシングを電力量計器箱を構成する固定箱の孔に嵌合させ、ゴムブッシングの下側の円形部分が固定箱の外部に露出している状態を示す斜視図、（ｂ）は固定箱の孔からゴムブッシングを外部に向けて取り外している状態を示す斜視図、（ｃ）は固定箱の孔から、一部の絶縁シースと一緒に短絡コネクタ（雄）を引き出している状態を示す斜視図である。
【図５】閉鎖状態となっている電力量計器箱において、固定箱の孔から、一部の絶縁シースと一緒に短絡コネクタ（雄）を引き出した状態を示す斜視図である。
【図６】中間接続コードの構成を示す斜視図である。
【図７】電力量計器の計量データ採録用の接続コードの短絡コネクタ（雄）に、中間接続コードの短絡コネクタ（雌）を接続している状態を示す斜視図である。
【図８】パソコン（ＰＣ）側のコードの構成を示す斜視図である。
【図９】閉鎖状態となっている電力量計器箱において、固定箱の孔から引き出されている接続コードに中間接続コードを接続すると共に、中間接続コードにパソコン（ＰＣ）側のコードを接続している状態を示す斜視図である。
【図１０】電力量計器の計量データ採録用の接続コードの、他の構成を示す斜視図である。
【図１１】パソコン（ＰＣ）側のコードの、他の構成を示す斜視図である。
【図１２】閉鎖状態となっている電力量計器箱において、固定箱の孔から引き出されている接続コードに、パソコン（ＰＣ）側のコードを接続している状態を示す斜視図である。
【図１３】電力量計器箱の設置状態を示す斜視図である。
【図１４】電力量計器箱を構成している固定箱から、蓋箱を取り外している状態を示す斜視図である。
【図１５】電力量計器から、端子カバーを取り外している状態を示す斜視図である。
【図１６】電力量計器箱を構成している固定箱と蓋箱の封印状態を示すもので、（ａ）は固定箱側の固定ナットに、蓋箱側のボルトをねじ込む状態を示す分解斜視図、（ｂ）は紐状のインシュロック部材を、ボルトの孔、固定箱側の板片の孔、蓋箱側の板片の孔に貫挿させて結束している状態を示す、一部拡大の斜視図である。
【図１７】電力量計器箱を開放した状態において、電力量計器のＤＴ端子・ＳＧ端子に、パソコン（ＰＣ）側のコードの端子を接続して、電力量計器における計量データの採録を行っている、従来の採録手法を示す斜視図である。
【発明を実施するための形態】
【００４７】
本発明に係る電力量計器箱１１３の内部に配置する、電力量計器１０１の計量データ採録用の接続コード１は、図１に示すように、所定の長さの複数本の導線（２，３）により構成されており、複数本の導線（２，３）の先端部に、所定形状の裸圧着端子４を取り付けている。また、複数本の導線（２，３）の基端部に、導線（２，３）の数に対応した複数極を備えている短絡コネクタ（雄）５を取り付けている。
【００４８】
導線（２，３）の先端部に取り付けている裸圧着端子４、例えば、図１に示すように、棒状に形成されている。尚、裸圧着端子４の形状は、電力量計器１０１のＤＴ端子・ＳＧ端子に接続可能であれば、どのような形状であっても差し支えない。
【００４９】
また、図１に示す接続コード１は、２本の導線２，３により構成されているが、これに限定されることはなく、接続コード１を、３本や４本以上の導線により構成しても良い。
【００５０】
さらに、２本の導線２，３の基端部側（短絡コネクタ（雄）５側）の適位置に、柔軟性を有するゴムブッシング６を備えている。
【００５１】
所定の長さの２本の導線２，３は、その両端部分を除いた全体が、所定の絶縁シース７により被覆されている。
【００５２】
２本の導線２，３の基端部に取り付けている２極の短絡コネクタ（雄）５は、図１に示すように、所定の長さを有する四角柱状に形成された絶縁ハウジング８を備えている。また、絶縁ハウジング８の内部には、その長手方向に沿うように、丸状中空部９と角状中空部１０が設けられている。この丸状中空部９内には、導線２に接続しているピンが配置されている。また、角状中空部１０内には、導線３に接続しているピンが配置されている。さらに、絶縁ハウジング８の端部には、一対の摘まみ片１１が設けられている。また、絶縁ハウジング８の側面には、所定の突部１６が設けられている。
【００５３】
柔軟性を有するゴムブッシング６は、図１に示すように、所定の厚みを有する円盤状に形成され、その外周面に沿うように、凹溝１２を設けている。このゴムブッシング６は、リング状の接続具１３を介して、２本の導線２，３を被覆している絶縁シース７に取り付けられている。
【００５４】
このゴムブッシング６は、図２・図４（ａ）（ｂ）に示すように、電力量計器１０１を内部に設置している電力量計器箱１０３に取り付けるものである。具体的には、ゴムブッシング６は、電力量計器箱１０１を構成する固定箱１０３の所定の位置に設けられている円形の孔１４に嵌合し、孔１４を閉鎖している。
【００５５】
この固定箱１０３の孔１４は、例えば、図４（ｂ）（ｃ）・図５に示すように、固定箱１０３における底板部分の端部寄りに設けられている。
【００５６】
そして、電力量計器箱１１３の内部への、電力量計器１０１の計量データ採録用の接続コード１の取り付けは、まず、図２に示すように、電力量計器箱１１３を構成する蓋箱１０２を取り外して固定箱１０３を開放し、電力量計器１０１を露出させた状態とする。
【００５７】
次に、計量データ採録用の接続コード１を構成する棒状の裸圧着端子４を、電力量計器１０１のＤＴ端子・ＳＧ端子に接続する。
【００５８】
また、２本の導線２，３を被覆している絶縁シース７に取り付けられているゴムブッシング６を、図２に示すように、固定箱１０３の孔１４に、固定箱１０３の内部側から嵌合させる。
【００５９】
このとき、２本の導線２，３を被覆している絶縁シース７と、棒状の裸圧着端子４、２極の短絡コネクタ（雄）５は、固定箱１０３の内部に位置した状態となっている。
【００６０】
また、絶縁シース７の裸圧着端子４側の適位置は、所定の取付具１５を介して、固定箱１０３の側板に固定されている。同様に、絶縁シース７の短絡コネクタ（雄）５側の適位置も、所定の取付具１５を介して、固定箱１０３の底板に固定されている。
【００６１】
この様に、固定箱１０３の内部に、電力量計器１０１の計量データ採録用の接続コード１を配置した状態で、図３に示すように、固定箱１０３に蓋箱１０２を宛がって固定し、電力量計器箱１１３を閉鎖した状態とする。
【００６２】
電力量計器箱１１３の内部において、ゴムブッシング６は、自身の凹溝１２を、固定箱１０３の孔１４の周壁面に宛がい、孔１４の周壁面に凹溝１２を押し付けるようにして凹溝１２内に孔１４の周壁面を導入して、円盤状のゴムブッシング６を円形の孔１４に嵌合させている。
【００６３】
この様に、ゴムブッシング６を固定箱１０３の孔１４に嵌合させたとき、ゴムブッシング６の上側の円形部分は、図２に示すように、固定箱１０３の内部に露出している。また、ゴムブッシング６の下側の円形部分は、図４（ａ）に示すように、固定箱１０３の外部に露出している。
【００６４】
その為、電力量計器１０１を設置している電力量計器箱１０１を閉鎖している状態において、図４（ａ）に示すように、固定箱１０３の外部に露出しているゴムブッシング６の下側の円形部分を、指で摘んで下方に引っ張り、図４（ｂ）（ｃ）に示すように、固定箱１０３の孔１４からゴムブッシング６を外部に向けて取り外すことができる。このとき、図４（ｃ）・図５に示すように、２本の導線２，３を被覆している一部の絶縁シース７と一緒に、２極の短絡コネクタ（雄）５を固定箱１０３の外側に引き出すのである。
【００６５】
固定箱１０３の外側に引き出した２極の短絡コネクタ（雄）５には、中間接続コード２０を接続し、この中間接続コード２０にパソコン（ＰＣ）側のコード３０を接続して、電力量計器１０１の計量データの採録を行う。
【００６６】
中間接続コード２０は、図６に示すように、所定の長さの２本の導線２１，２２により構成され、２本の導線２１，２２の先端部に、２極の短絡コネクタ（雌）２３を取り付けると共に、２本の導線２１，２２の基端部に、挟持クリップ２４を取り付けている。
【００６７】
所定の長さの２本の導線２１，２２は、その両端部分を除いた全体が、所定の絶縁シース２５により被覆されている。
【００６８】
２本の導線２１，２２の先端部に取り付けている２極の短絡コネクタ（雌）２３は、短尺な四角柱状に形成された絶縁ハウジング２６を備えている。絶縁ハウジング２６の端部には、その長手方向に沿うように、円筒部２７と角筒部２８が並設されている。この円筒部２７内には、導線２１に接続しているソケットが配置されている。また、角筒部２８内には、導線２２に接続しているソケットが配置されている。さらに、絶縁ハウジング２６の側面には、突出状に爪部２９が設けられている。
【００６９】
電力量計器１０１の計量データ採録用の接続コード１の短絡コネクタ（雄）５に、中間接続コード２０の短絡コネクタ（雌）２３を接続するときには、短絡コネクタ（雄）５の丸状中空部９に、短絡コネクタ（雌）２３の円筒部２７を挿入して、導線２に接続しているピンと、導線２１に接続しているソケットを合致させる。同様に、短絡コネクタ（雄）５の角状中空部１０に、短絡コネクタ（雌）２３の角筒部２８を挿入して、導線３に接続しているピンと、導線２２に接続しているソケットを合致させる。
【００７０】
この様に、短絡コネクタ（雄）５・短絡コネクタ（雌）２３において、角状と丸状により、接合できる形状を限定していることにより、誤接続を防止している。また、ピンとソケットが、それぞれ絶縁ハウジング８，２６に覆われているので、このピンとソケットが、電力量計器箱１１３の近傍に位置している充電部に、直接接的に接触することが無い。
【００７１】
さらに、図７に示すように、計量データ採録用の接続コード１の短絡コネクタ（雄）５に、中間接続コード２０の短絡コネクタ（雌）２３を接続したとき、短絡コネクタ（雄）５の突部１６に、短絡コネクタ（雌）２３の爪部２９が係合して、両者の離脱を阻止している。
【００７２】
この様にして、計量データ採録用の接続コード１に、中間接続コード２０を接続するのであるが、接続した中間接続コード２０の端部には、パソコン（ＰＣ）側のコード３０をさらに接続する。
【００７３】
パソコン（ＰＣ）側のコード３０は、図８に示すように、パソコン（ＰＣ）に接続するケーブル３１を備えている所定の変換器３２から延設されている。この
コード３０は、所定の長さの２本の導線３３，３４により構成され、２本の導線３３，３４の先端部に、棒状の裸圧着端子３５を取り付けている。また、所定の長さの２本の導線３３，３４は、その先端部分を除いた全体が、所定の絶縁シース３６により被覆されている。
【００７４】
そして、中間接続コード２０の端部に、パソコン（ＰＣ）側のコード３０を接続するときは、図９に示すように、中間接続コード２０の挟持クリップ２４により、パソコン（ＰＣ）側のコード３０における棒状の裸圧着端子３５を挟み込むようにする。
【００７５】
このとき、中間接続コード２０において、導線２１に接続している挟持クリップ２４により、パソコン（ＰＣ）側のコード３０における、導線３３に接続している裸圧着端子３５を挟み込むようにする。また、中間接続コード２０において、導線２２に接続している挟持クリップ２４により、パソコン（ＰＣ）側のコード３０における、導線３４に接続している裸圧着端子３５を挟み込むようにする。
【００７６】
この様にして、図９に示すように、閉鎖されている状態の電力量計器箱１０１を構成している固定箱１０３の孔１４から引き出されている接続コード１の２極の短絡コネクタ（雄）５に中間接続コード２０の短絡コネクタ（雌）２３を接続すると共に、中間接続コード２０の挟持クリップ２４により、パソコン（ＰＣ）側のコード３０における棒状の裸圧着端子３５を挟み込むことにより、中間接続コード２０にパソコン（ＰＣ）側のコード３０を接続する。この状態で、パソコン（ＰＣ）により、電力量計器１０１の計量データを採録するのである。
【００７７】
尚、他の実施の形態として、中間接続コード２０を省いて、計量データ採録用の接続コード１に、パソコン（ＰＣ）側のコード３０を直接的に接続するものであっても良い。
【００７８】
このとき、計量データ採録用の接続コード１は、図１０に示すように、２本の導線２，３の基端部に、２極の短絡コネクタ（雌）２３を取り付けておく。また、パソコン（ＰＣ）側のコード３０は、図１１に示すように、２本の導線３３，３４の先端部に、２極の短絡コネクタ（雄）５を取り付けておく。
【００７９】
そして、図１２に示すように、計量データ採録用の接続コード１の２極の短絡コネクタ（雌）２３に、パソコン（ＰＣ）側のコード３０の２極の短絡コネクタ（雄）５を接続し、パソコン（ＰＣ）により、電力量計器１０１の計量データを採録するのである。
【００８０】
尚、本発明は、前記した実施の形態に限定されるものではなく、本発明の目的を達成できる範囲での改良・変形等は、本発明に全て包含されるものである。
【産業上の利用可能性】
【００８１】
本発明は、閉鎖された状態となっている電力量計器箱の内部から、接続コードを外側に適宜引き出して、電力量計器の計量データを採録するものであるが、電力量計器以外の、様々な機器のデータを採録するものとして、幅広く利用することができる。
【符号の説明】
【００８２】
Ｓ…作業員
ＰＣ…パソコン
１０１…電力量計器
１００…絶縁手袋
１０２…蓋箱
１０３…固定箱
１０４…固定ナット
１０５…ボルト
１０６…インシュロック部材
１０７…孔
１０８…板片
１０９…孔
１１０…板片
１１１…孔
１１２…端子カバー
１１３…電力量計器箱
２００…パソコン側のコード
１…計量データ採録用の接続コード
２…導線
３…導線
４…裸圧着端子
５…短絡コネクタ（雄）
６…ゴムブッシング
７…絶縁シース
８…絶縁ハウジング
９…丸状中空部
１０…角状中空部
１１…摘まみ片
１６…突部
１２…凹溝
１３…接続具
１４…孔
１５…取付具
２０…中間接続コード
２１…導線
２２…導線
２３…短絡コネクタ（雌）
２４…挟持クリップ
２５…絶縁シース
２６…絶縁ハウジング
２７…円筒部
２８…角筒部
２９…爪部
３０…パソコン側のコード
３１…ケーブル
３２…変換器
３３…導線
３４…導線
３５…裸圧着端子
３６…絶縁シース
【図１】
2012198166.tif 000003
【図２】
2012198166.tif 000004
【図３】
2012198166.tif 000005
【図４】
2012198166.tif 000006
【図５】
2012198166.tif 000007
【図６】
2012198166.tif 000008
【図７】
2012198166.tif 000009
【図８】
2012198166.tif 000010
【図９】
2012198166.tif 000011
【図１０】
2012198166.tif 000012
【図１１】
2012198166.tif 000013
【図１２】
2012198166.tif 000014
【図１３】
2012198166.tif 000015
【図１４】
2012198166.tif 000016
【図１５】
2012198166.tif 000017
【図１６】
2012198166.tif 000018
【図１７】
2012198166.tif 000019